(57)【要約】【課題】二重瞼形成用テープを瞼の適宜位置に容易に貼着することのできる簡便な用具を提供する。【解決手段】所定の形状を有する用具本体１と、用具本体１から張り出した薄板状の上部ヘッド２と、用具本体１により上部ヘッド２に沿って摺動可能に保持された薄板状の下部スライドアーム４と、下部スライドアームを摺動させるための操作レバー５とを有する。上部ヘッド２の先端面は、瞼に押し当てる瞼押圧部２１として瞼に密着可能とされ、下部スライドアーム４の先端面は、テープＴを瞼に転移させるテープ転移部４１として瞼押圧部２１の下側で瞼に密着可能とされている。下部スライドアーム４は、テープ転移部４１が瞼押圧部２１よりも用具本体１側に後退する後端位置と、テープ転移部４１が瞼押圧部２１よりも前方に迫り出す前端位置との間を摺動可能とされている。【選択図】図２
2011188892.tif 000002
【特許請求の範囲】
【請求項１】
二重瞼の形成に用いられるテープを瞼に貼着するための用具であって、
所定の形状を有する用具本体と、この用具本体から張り出した薄板状の上部ヘッドと、前記用具本体により前記上部ヘッドに沿って摺動可能に保持された薄板状の下部スライドアームと、この下部スライドアームを摺動させるための操作部とを有し、
前記上部ヘッドは、その先端面が瞼に押し当てる瞼押圧部として瞼に密着可能とされており、
前記下部スライドアームは、その先端面が前記瞼押圧部よりも前記用具本体側に後退する後端位置と前記瞼押圧部よりも前方に迫り出す前端位置との間を摺動可能とされていると共に、前記下部スライドアームの先端面は、当該先端面に貼着された前記テープを瞼に転移させるテープ転移部として前記瞼押圧部の下側で瞼に密着可能とされていることを特徴とする二重瞼形成用テープの貼着用具。
【請求項２】
前記用具本体には、前記下部スライドアームを前記後端位置に向けて付勢する弾性部材が内蔵されていることを特徴とする請求項１記載の二重瞼形成用テープの貼着用具。
【請求項３】
前記操作部は、前記上部ヘッドの幅方向に沿って前記用具本体に保持された支点軸を中心に第１位置と第２位置との間を揺動可能な指当て片と、この指当て片を前記第１位置から前記第２位置に揺動させることにより当該指当て片からの操作力を受けて前記下部スライドアームを前記後端位置から前記前端位置まで押し込む作動子とを有すると共に、
前記指当て片は、前記第１位置を基準に前記第２位置とは反対の第３位置との間で揺動可能とされ、その第３位置では前記用具本体から前記上部ヘッドの厚さ方向への突出量が前記第１位置よりも小さくなることを特徴とする請求項１、又は２記載の二重瞼形成用テープの貼着用具。
【請求項４】
前記用具本体には、前記指当て片を前記第３位置に保持するロック手段が設けられていることを特徴とする請求項３記載の二重瞼形成用テープの貼着用具。
【請求項５】
前記テープ転移部には、前記テープの片面に点接触する複数のテープ支持凸部が設けられていることを特徴とする請求項１〜４のいずれか１項に記載の二重瞼形成用テープの貼着用具。
【発明の詳細な説明】
【技術分野】
【０００１】
本発明は、二重瞼を形成するべく瞼に専用のテープを貼着する技術に係わり、特にその種のテープを瞼の適宜位置に容易かつ適切に貼着することのできる用具に関する。
【背景技術】
【０００２】
従来、幅の極狭いテープを瞼に貼着して二重瞼を形成することが一般に広く行われている。その種のテープとして、例えば瞼の形状に合わせて湾曲させた基材の両面を粘着面とし、その両面をセパレータで保護すると共に、セパレータを基材よりも長くして当該基材の両端が基材から突出するようにしたテープ片が知られる（特許文献１）。
【０００３】
又、両面が粘着面とされる基材（基部）の両端両面を非粘着性の部材で覆って取手としたテープが知られている（特許文献２）。
【先行技術文献】
【特許文献】
【０００４】
【特許文献１】特開２００７−１１１２１８号公報
【特許文献２】特開２００７−１３６０６１号公報
【発明の概要】
【発明が解決しようとする課題】
【０００５】
しかしながら、特許文献１に開示される二重瞼形成用テープは、これを瞼に貼着するとき、基材の片面からセパレータを剥離し、剥離せずして残した他方のセパレータの両端を両手の指先で摘み、貼着側の瞼を閉じて片目で鏡をみながら、閉じられた瞼上に対して露出した粘着面を貼り付けることから、粘着面を指で触れずして貼着することはできても、鏡をみる片目の視界が使用者自らの手で覆われてしまうため、適宜位置に適切に貼着すること決して容易でない。
【０００６】
この点、特許文献２のテープも基材両端の取手を両手の指先で摘んで貼着することから、適宜位置への貼着が難儀で、不適切な位置に貼着してしまった場合の貼り直しにより粘着面の粘性が損なわれてその一部が貼着直後に剥離してしまう虞がある。
【０００７】
本発明は以上のような事情に鑑みて成されたものであり、その目的は二重瞼形成用テープを瞼の適宜位置に容易に貼着することのできる簡便な用具を提供することにある。
【課題を解決するための手段】
【０００８】
本発明は上記目的を達成するため、
二重瞼の形成に用いられるテープを瞼に貼着するための用具であって、
所定の形状を有する用具本体と、この用具本体から張り出した薄板状の上部ヘッドと、前記用具本体により前記上部ヘッドに沿って摺動可能に保持された薄板状の下部スライドアームと、この下部スライドアームを摺動させるための操作部とを有し、
前記上部ヘッドは、その先端面が瞼に押し当てる瞼押圧部として瞼に密着可能とされており、
前記下部スライドアームは、その先端面が前記瞼押圧部よりも前記用具本体側に後退する後端位置と前記瞼押圧部よりも前方に迫り出す前端位置との間を摺動可能とされていると共に、前記下部スライドアームの先端面は、当該先端面に貼着された前記テープを瞼に転移させるテープ転移部として前記瞼押圧部の下側で瞼に密着可能とされていることを特徴とする。
【０００９】
加えて、前記用具本体には、前記下部スライドアームを前記後端位置に向けて付勢する弾性部材が内蔵されていることを特徴とする。
【００１０】
又、前記操作部は、前記上部ヘッドの幅方向に沿って前記用具本体に保持された支点軸を中心に第１位置と第２位置との間を揺動可能な指当て片と、この指当て片を前記第１位置から前記第２位置に揺動させることにより当該指当て片からの操作力を受けて前記下部スライドアームを前記後端位置から前記前端位置まで押し込む作動子とを有すると共に、
前記指当て片は、前記第１位置を基準に前記第２位置とは反対の第３位置との間で揺動可能とされ、その第３位置では前記用具本体から前記上部ヘッドの厚さ方向への突出量が前記第１位置よりも小さくなることを特徴とする。
【００１１】
尚、前記用具本体には、前記指当て片を前記第３位置に保持するロック手段が設けられていることが好ましい。
【００１２】
又、前記テープ転移部には、前記テープの片面に点接触する複数のテープ支持凸部が設けられていることが好ましい。
【発明の効果】
【００１３】
本発明に係る二重瞼形成用テープの貼着用具によれば、所定の形状を有する用具本体と、用具本体から張り出した薄板状の上部ヘッドと、用具本体により上部ヘッドに沿って摺動可能に保持された薄板状の下部スライドアームと、この下部スライドアームを摺動させるための操作部とを有し、上部ヘッドは、その先端面が瞼に押し当てる瞼押圧部として瞼に密着可能とされ、下部スライドアームは、その先端面が瞼押圧部よりも用具本体側に後退する後端位置と瞼押圧部よりも前方に迫り出す前端位置との間を摺動可能とされていると共に、下部スライドアームの先端面は、当該先端面に貼着されたテープを瞼に転移させるテープ転移部として瞼押圧部の下側で瞼に密着可能とされていることから、上部ヘッドの先端面を瞼に押し当てて瞼に対するテープの貼着位置を定め、その状態にして下部スライドアームを前端位置まで摺動させることにより、その先端面に貼着しておいたテープを瞼の適宜位置に容易かつ適切に転移、貼着せしめることができる。
【００１４】
又、用具本体に、下部スライドアームを後端位置に向けて付勢する弾性部材が内蔵されている構成では、上部ヘッドの先端面を瞼に押し当てるとき、下部スライドアームが不用意に前進してその先端面に貼着しておいたテープが瞼の不適切な位置に貼着されてしまうことを防止できる。
【００１５】
更に、下部スライドアームを摺動させるための操作部が、上部ヘッドの幅方向に沿って用具本体に保持された支点軸を中心に第１位置と第２位置との間、及び第１位置を基準に第２位置とは反対の第３位置との間で揺動可能な指当て片を有し、第３位置では用具本体から上部ヘッドの厚さ方向に対する指当て片の突出量が第１位置よりも小さくなる構成では、指当て片を第３位置に位置付けることにより、本願用具の不使用時において指当て片が邪魔にならない。
【００１６】
加えて、指当て片を第３位置に保持するロック手段を備える構成では、指当て片のがたつきを防止することができる。
【００１７】
又、下部スライドアームの先端面に、テープの片面に点接触する複数のテープ支持凸部が設けられている態様では、その先端面に予め貼着しておいたテープを瞼の適宜位置に確実に転移させることができる。
【図面の簡単な説明】
【００１８】
【図１】本発明に係る二重瞼形成用テープの貼着用具を示す平面図
【図２】同用具の中央断面図
【図３】同用具の本体を構成する上部カバーの中央断面図
【図４】上部ヘッドの側面図
【図５】上部カバーを上部ヘッド側からみた正面図
【図６】用具本体を構成する下部カバーの平面図
【図７】下部カバーの中央断面図
【図８】下部スライドアームを示す平面図
【図９】下部スライドアームの中央断面図
【図１０】下部スライドアームの先端部分を示す側面図
【図１１】下部スライドアームの正面図
【図１２】操作レバーを示す斜視図
【図１３】下部スライドアームが後端位置にある状態を示す説明図
【図１４】下部スライドアームが前端位置にある状態を示す説明図
【図１５】下部スライドアームの先端部分を示す拡大平面図
【図１６】本願用具の使用形態を示す説明図
【発明を実施するための形態】
【００１９】
以下、図面に基づいて本発明を詳しく説明する。先ず、図１において、１は略長方形の輪郭を有する用具本体、２は用具本体１に一体として形成された上部ヘッドであり、この上部ヘッド２は用具本体１の長手方向一端からその長手方向に張り出している。
【００２０】
図１および図２から明らかなように、用具本体１は、上部ヘッド２を一体として備える上部カバー１１と、この上部カバー１１に下方から結合する下部カバー１２とから構成されている。このうち、上部カバー１１には、その上面において図１〜図３に示されるような溝形の凹部１１ａが形成されていると共に、その凹部１１ａの中央において下部カバー１２内に連通する平面視凹字形の開口部１１ｂが穿設されている。
【００２１】
尚、図１〜図４に示されるように、上部ヘッド２は薄板状であり、その先端面は使用者の瞼に密着可能な瞼押圧部２１として図１および図５のように後方（用具本体側）と上方とに湾曲した細長い二次曲面とされている。
【００２２】
又、図２から明らかなように、用具本体１には弾性部材３（図示例において圧縮コイルバネ）が内蔵されている。特に、その弾性部材３は下部カバー１２内に配置されている。図６および図７に示されるように、下部カバー１２内には一端が閉じられたコ字形のバネ受け１２ａが形成されており、そのバネ受け１２ａにより弾性部材３が伸縮可能にして一端側を保持されている。
【００２３】
一方、図２に示されるように、用具本体１を構成する上部カバー１１と下部カバー１２の間には、下部スライドアーム４が設けられている。換言すれば、上部カバー１１と下部カバー１２は下部スライドアーム４を介して結合されている。
【００２４】
図２および図８〜図１０に示されるように、下部スライドアーム４は薄板状であり、その先端面は後述するテープを瞼に転移させるテープ転移部４１として使用者の瞼に密着可能とされている。すなわち、下部スライドアーム４の先端面（テープ転移部４１）も瞼の表面形状に合わせて図８および図１１のように後方と上方とに湾曲した細長い二次曲面とされている。尚、テープ転移部４１の上縁の曲率は、上部ヘッド２の先端面（瞼押圧部２１）の下縁の曲率と同じくされている。
【００２５】
そして、係る下部スライドアーム４は、用具本体１により上部ヘッド２に沿って摺動可能に保持されている。特に、下部スライドアーム４は、その先端面であるテープ転移部４１が瞼押圧部２１よりも用具本体１側に後退する後端位置（図２の実線で示される位置）と、テープ転移部４１が瞼押圧部２１よりも前方に迫り出す前端位置（図２の一点鎖線で示される位置）との間を摺動可能とされている。
【００２６】
ここに、下部スライドアーム４には、上記のバネ受け１２ａおよび弾性部材３を収容する長孔４２が形成され、その長孔４２の長手方向一端面（図８の左側の端面）が弾性部材３で常に押圧されるようになっている。これにより、下部スライドアーム４は、上記の後端位置に向けて付勢されることになるが、用具本体１には、弾性部材３の弾力に抗して下部スライドアーム４を後端位置から前端位置に向けて摺動させることのできる操作レバー５（操作部）が設けられている。尚、図８において、４３は下部スライドアーム４の幅方向両側を部分的に凹ました切欠部であり、その一端部（図８の右側の端部）が上記前端位置への下部スライドアーム４の摺動操作に際して操作レバー５の部位で押圧される構成とされている。
【００２７】
図１２のように、操作レバー５は、円柱状の支点軸５１と、この支点軸５１に突設された偏平状の指当て片５２と、支点軸５１の両端部から指当て片５２と異なる方向に突出する左右一対の小片状の作動子５３とを備えた部材であり、このうち支点軸５１は図１〜図３のように上部カバー１１の凹部１１ａ内に横架されている。詳しくは、支点軸５１は上部ヘッド２の幅方向に沿って用具本体１で回転自在に保持されており、その支点軸５１を中心に、指当て片５２が用具本体１上に突出する第１位置と用具本体１の後方に倒伏する第２位置との間を揺動可能とされている。又、作動子５３は、上部カバー１１の開口部１１ｂを通して下部カバー１２内に挿入され、これが指当て片５２の揺動に連動して当該指当て片５２と同軸回りに揺動するようになっている。
【００２８】
図１３および図１４は係る操作レバー５の揺動変位を示す。尚、図１２および図１３において、下部カバー１２は図６のＡ−Ａ断面で示され、下部スライドアーム４は図８のＢ−Ｂ断面で示される。これらの図で明らかなように、指当て片５２が図１３の実線で示される第１位置にあるとき、下部スライドアーム４は上記の後端位置にあって当該下部スライドアーム４の部位（切欠部４３の一端部）に作動子５３が接触し、指当て片５２を上記第１位置から図１４の実線で示される第２位置に揺動させると、下部スライドアーム４が切欠部４３の一端部を作動子５３により押圧されて上記の前端位置まで摺動する構成とされている。
【００２９】
特に、操作レバー５は、その指当て片５２が第１位置と第２位置との間で揺動を許容されるだけでなく、第１位置を基準にして第２位置とは反対の第３位置（図１３の一点鎖線で示される位置）との間でも揺動を許容されている。そして、この第３位置では、用具本体１から上部ヘッド２の厚さ方向（図１３の上下方向）に対する指当て片５２の突出量が第１位置よりも小さくなる（図示例において突出量は０ないしはマイナス、すなわち全く突出しない）。
【００３０】
これによれば、本願用具の保管や携行に際して指当て片５２が邪魔にならず、これを携行時の外力などから保護することも可能となる。しかも、本例によれば、指当て片５２を第３位置に保持するロック手段として、用具本体１を構成する上部カバー１１の凹部１１ａの両側にロック片１１ｃ（図１参照）が突設され、その両ロック片１１ｃの間に指当て片５２が挟み込まれるようになっている。このため、本願用具の携行に際して指当て片５２をロック片１１ｃによる圧接力で第３位置に保持せしめ、以ってそのがたつきを防止することができる。尚、第１位置と第３位置との間での指当て片５２の揺動に際して、作動子５３から下部スライドアーム４に操作力は作用せず、その作動子５３は下部スライドアーム４の切欠部４３内と上部カバー１１の凹部１１ａ内との間で揺動を許容される。
【００３１】
一方、図１５から明らかなように、下部スライドアーム４の先端面であるテープ転移部４１には、その長手方向に沿ってテープＴの片面に点接触する複数のテープ支持凸部４１ａが設けられている。それらテープ支持凸部４１ａは直径１ｍｍ程度の微小なもので、その各先端にテープＴの片面を粘着させ得るようになっている。
【００３２】
係るテープＴは二重瞼を形成するべく瞼に貼着されるもので、その具体的構成はポリエステル系樹脂などからなる幅１ｍｍ程度の薄片を基材とし、その両面を粘着剤（例えばアクリル系感圧型接着剤）の塗工による粘着面としたものであり、その基材は好ましくは円弧状に湾曲した形態とされている。
【００３３】
ここで、以上のように構成される本願用具の使用方法とその作用を説明する。係る用具の使用に際しては、先ず後端位置にある下部スライドアーム４の先端面（テープ転移部４１）に対し、市販の二重瞼形成用テープＴを貼り付ける。詳しくは、テープ転移部４１に沿ってテープＴの片面（粘着面）を図１５のように各テープ支持凸部４１ａに粘着せしめる。
【００３４】
しかして、用具本体を片手に持ち、指当て片５２を第３位置から第１位置に起こし、その指当て片５２に人差し指を宛がった状態で、図１６(ａ)のように閉じた瞼に対して上部ヘッド２の先端面（瞼押圧部２１）を押し当てる。そして、指当て片５２を第１位置から第２位置に向けて押圧すれば、その操作力が作動子５３から下部スライドアーム４に作用することにより、後端位置にあった下部スライドアーム４が前端位置まで摺動する。これにより、テープ転移部４１が瞼押圧部２１の下側で瞼に押し付き、正確にはテープ転移部４１がテープＴを介して瞼に密着するために、両面粘着性のテープＴは瞼に粘着する。そこで、本願用具を瞼上から排除すれば、テープＴがテープ転移部４１から図１５(ｂ)のように瞼に転移し、そのテープＴを介して瞼の皮膚が上下で付け合わされるために二重瞼が形成されることになる。
【００３５】
尚、上記のように、テープ転移部４１にテープＴの片面に点接触する複数のテープ支持凸部４１ａが設けられる構成では、テープＴを瞼に対して確実に転移させ得るので好ましいが、その種のテープ支持凸部４１ａを設けず、テープ転移部４１にケイ素樹脂などの離型剤を塗工するなどしてもよく、この場合でも当該テープ転移部４１にテープＴの片面全体に粘着させながら、そのテープＴを瞼に転移させることが可能となる。
【００３６】
又、テープＴは、瞼の表面形状に合わせて円弧状に湾曲されているものに限らず、これに直線状の両面粘着テープを使用することも可能であり、直線状の両面粘着テープでも柔軟性を有するものであれば、これをテープ転移部４１に沿って湾曲させながら貼着することができる。
【００３７】
加えて、テープＴは両面粘着性のものに限らず、片面粘着テープにして、その非粘着面に使用に際して接着剤を塗布するようにしてもよい。
【００３８】
更に、操作部は、上記例のような揺動形の操作レバー５とすることに限らず、例えば係る操作部として、下部スライドアーム４に図示せぬ突片を固設し、その可動範囲において用具本体１を部分的に切り欠くようにしてもよい。
【符号の説明】
【００３９】
Ｔ  二重瞼形成用テープ
１  用具本体
１１ｃ  ロック片（ロック手段）
２  上部ヘッド
２１  瞼押圧部
３  弾性部材
４  下部スライドアーム
４１  テープ転移部
４１ａ  テープ支持凸部
５  操作レバー（操作部）
５１  支点軸
５２  指当て片
５３  作動子
【図１】
2011188892.tif 000003
【図２】
2011188892.tif 000004
【図３】
2011188892.tif 000005
【図４】
2011188892.tif 000006
【図５】
2011188892.tif 000007
【図６】
2011188892.tif 000008
【図７】
2011188892.tif 000009
【図８】
2011188892.tif 000010
【図９】
2011188892.tif 000011
【図１０】
2011188892.tif 000012
【図１１】
2011188892.tif 000013
【図１２】
2011188892.tif 000014
【図１３】
2011188892.tif 000015
【図１４】
2011188892.tif 000016
【図１５】
2011188892.tif 000017
【図１６】
2011188892.tif 000018